(57)【特許請求の範囲】
【請求項１】
第１及び第２モニタに接続された情報処理装置であって、
前記第２モニタに画像を表示する第１表示制御手段と、
前記第２モニタに表示される画像と同じ画像を前記第１モニタに表示する第２表示制御手段と、
前記第１モニタに表示されている画像に対する入力操作に応じて、前記第１モニタに表示されている画像の処理対象領域を判定する判定手段と、
前記判定手段で判定された処理対象領域内の画像を拡大処理し、拡大処理後の画像のウィンドウを前記第１のモニタには表示せず、前記第２モニタのみに、当該第２のモニタに表示されている画像の対応する位置に重ねて表示する第３表示制御手段と、
を備え、
前記第１及び第２モニタには、拡張デスクトップ環境下で画像が表示されることを特徴とする情報処理装置。 
【請求項２】
前記第２モニタはプロジェクタ装置であることを特徴とする請求項１に記載の情報処理装置。
【請求項３】
第１及び第２モニタに接続された情報処理装置の画像表示方法であって、
前記第２モニタに画像を表示する工程と、
前記第２モニタに表示される画像と同じ画像を前記第１モニタに表示する工程と、
前記第１モニタに表示されている画像に対する入力操作に応じて、前記第１モニタに表示されている画像の処理対象領域を判定する工程と、
前記判定された処理対象領域内の画像を拡大処理し、拡大処理後の画像のウィンドウを前記第１のモニタには表示せず、前記第２モニタのみに、当該第２のモニタに表示されている画像の対応する位置に重ねて表示する工程と、
を含み、
前記第１及び第２モニタには、拡張デスクトップ環境下で画像が表示されることを特徴とする情報処理装置の画像表示方法。  
【請求項４】
第１及び第２モニタに接続された情報処理装置に搭載されたプログラムであって、
前記第２モニタに画像を表示する工程と、
前記第２モニタに表示される画像と同じ画像を前記第１モニタに表示する工程と、
前記第１モニタに表示されている画像に対する入力操作に応じて、前記第１モニタに表示されている画像の処理対象領域を判定する工程と、
前記判定された処理対象領域内の画像を拡大処理し、拡大処理後の画像のウィンドウを前記第１のモニタには表示せず、前記第２モニタのみに、当該第２のモニタに表示されている画像の対応する位置に重ねて表示する工程と、
をコンピュータに実行させ、
前記第１及び第２モニタには、拡張デスクトップ環境下で画像が表示されることを特徴とするコンピュータが実行可能なプログラム。
【発明の詳細な説明】
【技術分野】
【０００１】
本発明は、情報処理装置、その画像表示方法、及びコンピュータが実行可能なプログラムに関する。
【背景技術】
【０００２】
マルチモニタシステムでは、メインのモニタを有するパーソナルコンピュータ装置（以下「ＰＣ」と称する）に、プロジェクタ等の外部のモニタを接続し、それぞれに同一又は異なる画像を表示する方法が採用される場合が多い。
【０００３】
プレゼンテーションの場面では、例えば、ホワイトボードに表示される資料の一部が小さい場合に、当該資料の一部をホワイトボードに大きく表示したい場合がある。ここで、マイクロソフト社のウィンドウズ（登録商標）には、拡大鏡の機能があり、拡大鏡を利用することも考えられる。
【０００４】
しかしながら、多くの拡大鏡は資料の上に拡大ウィンドウとして表示されるため、拡大鏡の下に資料が隠れてしまう。発表者は、常に資料の全体を見てプレゼンテーションを行いたい場合が多く、資料の一部が隠れてしまうと、スムーズにプレゼンテーションを行うことができない場合がある。すなわち、発表者は、隠れている部分に何が記載（表示）されていたか分からなくなり、効率的にプレゼンテーションを行うことができなくなってしまう。また、プレゼンテーションに限らず他の用途でも、情報提供者は画像全体を見ながら、被情報提供者に画像の一部を拡大して表示したい場合がある。さらに、画像の一部を拡大したい場合に限らず、画像が不鮮明であるものを鮮明に表示したい場合等があり、情報提供者が複数のモニタを使用して被情報提供者に情報を提供する場合に、使い勝手の良いマルチモニタシステムが望まれている。
【先行技術文献】
【特許文献】
【０００５】
【特許文献１】特開２００３−５０６５３号公報
【特許文献２】特開２００９−１６９４５２号公報
【発明の概要】
【発明が解決しようとする課題】
【０００６】
本発明は、上記に鑑みてなされたものであって、情報提供者が複数のモニタを使用して被情報提供者に情報を提供する場合に、情報提供者の使い勝手を良くすることが可能な情報処理装置、その画像表示方法、及びコンピュータが実行可能なプログラムを提供することを目的とする。
【課題を解決するための手段】
【０００７】
上述した課題を解決し、目的を達成するために、本発明は、第１及び第２モニタに接続された情報処理装置であって、前記第２モニタに画像を表示する第１表示制御手段と、前記第２モニタに表示される画像と同じ画像を前記第１モニタに表示する第２表示制御手段と、入力操作に応じて、前記画像が表示されている前記第１モニタの画面内での処理対象領域を判定する判定手段と、前記判定手段で判定された処理対象領域内の画像を画像処理し、画像処理後の画像を前記第２モニタのみに表示する第３表示制御手段と、前記検出部で検出された入力位置を含む領域の画像を画像処理し、画像処理後の画像を前記第２モニタのみに表示する第３表示制御手段と、を備えたことを特徴とする。
【０００８】
また、本発明の好ましい態様によれば、前記第２モニタはプロジェクタ装置であることが望ましい。
【０００９】
また、本発明の好ましい態様によれば、前記画像処理は、拡大処理であることが望ましい。
【００１０】
また、本発明の好ましい態様によれば、前記画像処理は、コントラスト強調であることが望ましい。
【００１１】
また、本発明の好ましい態様によれば、前記第１及び第２モニタには、拡張デスクトップ環境下で画像が表示されることが望ましい。
【００１２】
また、上述した課題を解決し、目的を達成するために、本発明は、第１及び第２モニタに接続された情報処理装置のプレゼンテーション方法であって、前記第２モニタに画像を表示する工程と、前記第２モニタに表示される画像と同じ画像を前記第１モニタに表示する工程と、入力操作に応じて、前記画像が表示されている前記第１モニタの画面内での処理対象領域を判定する工程と、前記判定された処理対象領域内の画像を画像処理し、画像処理後の画像を前記第２モニタのみに表示する工程と、を含むことを特徴とする。
【００１３】
また、上述した課題を解決し、目的を達成するために、本発明は第１及び第２モニタに接続された情報処理装置に搭載されたプログラムであって、前記第２モニタに画像を表示する工程と、前記第２モニタに表示される画像と同じ画像を前記第１モニタに表示する工程と、入力操作に応じて、前記画像が表示されている前記第１モニタの画面内での処理対象領域を判定する工程と、前記判定された処理対象領域内の画像を画像処理し、画像処理後の画像を前記第２モニタのみに表示する工程と、をコンピュータに実行させることを特徴とする。
【発明の効果】
【００１４】
本発明にかかる情報処理装置によれば、情報提供者が複数のモニタを使用して被情報提供者に情報を提供する場合に、使い勝手の良い情報処理装置を提供することが可能になるという効果を奏する。
【図面の簡単な説明】
【００１５】
【図１】図１は、本実施の形態に係るマルチモニタシステムの外観構成例を示す図である。
【図２】図２は、コンピュータのブロック構成例を示す図である。
【図３】図３は、マルチモニタシステムの画像表示に関する機能構成を説明するための図である。
【図４】マルチモニタ（拡張デスクトップ）の環境設定を行うための画面の一例を示す図である。
【図５】図５は、第１モニタと第２モニタの表示例を説明するための図である。
【図６】図６は、第１モニタと第２モニタの表示例を説明するための図である。
【図７】図７は、第１モニタと第２モニタの表示例を説明するための図である。
【図８】図８は、第１モニタと第２モニタの表示例を説明するための図である。
【図９】図９は、第１モニタと第２モニタの表示例を説明するための図である。
【図１０】図１０は、実施の形態２に係るマルチモニタシステムの外観構成例を示す図である。
【図１１】図１１は、実施の形態２に係るマルチモニタシステムの画像表示に関する機能構成を説明するための図である。
【図１２】図１２は、第１モニタと第２モニタの表示例を説明するための図である。
【発明を実施するための形態】
【００１６】
以下に、本実施の形態に係る情報処理装置、その画像表示方法、及びコンピュータが実行可能なプログラムを適用したコンピュータシステムの実施の形態について、図面を参照しつつ詳細に説明する。なお、この実施の形態によりこの発明が限定されるものではない。また、下記実施の形態における構成要素には、当業者が容易に想定できるもの又は実質的に同一のものが含まれる。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、モジュール、材料でも本発明を実現できることが理解できる。  
【００１７】
（実施の形態１）
図１は、本実施の形態に係るマルチモニタシステムの外観構成例を示す図である。図１に示すように、マルチモニタシステム１は、内蔵モニタである第１モニタＭ１及びポインティングデバイスであるマウス２１を備え、マルチモニタ機能（拡張デスクトップ機能）を有するパーソナルコンピュータ（以下、「ＰＣ」と称する）２と、ＰＣ２に接続されている外部モニタである、第２モニタＭ２とで構成されている。ＰＣ２は、例えば、ノート型ＰＣで構成することができる。第１モニタＭ１は、例えば、液晶表示ディスプレイで構成することができる。第２モニタＭ２は、例えば、プロジェクタ３と、ホワイトボード４とで構成されるプロジェクタ装置で構成することができる。
【００１８】
ＰＣ２は、プロジェクタ３とビデオケーブル５で接続され、プレゼンテーションで使用する表示情報に応じたビデオ信号を送出する。プロジェクタ３は、ＰＣ２から入力されるビデオ信号に応じた画像をホワイトボード４に投影する。  
【００１９】
上記構成のマルチモニタシステム１では、発表者は第１モニタＭ１に表示される画像を見ながらプレゼンテーションを行い、聴講者は第２モニタＭ２に表示される画像を見ながらプレゼンテーションを聴講する。マルチモニタシステム１は、第２モニタＭ２に表示する画像と同じ画像を第１モニタＭ１に表示する。発表者が第２モニタＭ２に表示されている画像の一部を拡大して聴講者に見せたい場合は、第１モニタＭ１に表示されている画像の対応する部分をマウス２１で選択する。マルチモニタシステム１は、選択された画像の拡大画像を第２モニタＭ２だけに表示する。これにより、発表者は、第１モニタＭ１に表示される資料の全体を見てプレゼンテーションを行うことができ、効率的にプレゼンテーションを行うことができる。
【００２０】
図２は、図１のノート型ＰＣ２のブロック構成例を示す図である。図２に示すように、ノート型ＰＣ２は、ＣＰＵ(Central  Processing  Unit)２２と、メモリ２３と、ＨＤＤ（Hard  Disk  Device）２４と、ＣＤ−ＲＯＭ(Compact  Disk-Read  Only  Memory)ドライブ２５と、入出力Ｉ／Ｆ２６とを備える。入出力Ｉ／Ｆ２６には、キーボード２７と、トラックポイント２８と、第１モニタＭ１とが接続される。また、入出力Ｉ／Ｆ２６には、マウス２１と、第２モニタＭ２とが接続される。
【００２１】
ＣＰＵ２２は、ＨＤＤ２４に格納されたＯＳ３１によりＰＣ２全体の制御を行うとともに、ＨＤＤ２４に格納された各種のプログラムに基づいて処理を実行する機能を司る。メモリ２３は、ＲＯＭ、キャッシュメモリ、ＲＡＭ等で構成されており、ＢＩＯＳ（Basic  Input／Output  System：基本入出力システム）やデータ等を格納する領域と、ＣＰＵ２２の実行プログラムの読み込み領域として、実行プログラムの処理データを書き込む作業領域として利用される書き込み可能領域とを備えている。  
【００２２】
ＨＤＤ２４は、例えば、Ｗｉｎｄｏｗｓ（登録商標）７、ｖｉｓｔａ、ＸＰ等のＰＣ２０全体の制御を行うためのＯＳ３１、ユーティリティ・プログラム３２、周辺機器類をハードウェア操作するためのデバイス・ドライバ３３、特定業務に向けられたアプリケーション・プログラム３４Ａ〜Ｅ等を記憶する機能を有する。ＯＳ３１は、マルチモニタ機能（拡張デスクトップ機能）をサポートする。デバイス・ドライバ３３は、第１〜第２モニタＭ１〜Ｍ２の表示制御や、マウス２１，キーボード２７，トラックポイント２８等の入力デバイスの制御を行う。
【００２３】
アプリケーション・プログラム３４Ａは、プレゼンテーション用のアプリケーション・プログラムである。アプリケーション・プログラム３４Ｂは、文書作成・編集用のアプリケーション・プログラムである。アプリケーション・プログラム３４Ｃは表計算用のアプリケーション・プログラムである。アプリケーション・プログラム３４Ｄは、電子メールの授受用のアプリケーション・プログラムである。アプリケーション・プログラム３４Ｅは、ウェブページの閲覧用のアプリケーション・プログラムである。
【００２４】
ＨＤＤ２４に記憶するプログラムは、例えば、ＣＤ−ＲＯＭ２９からＣＤ−ＲＯＭドライブ２５を介してインストールすることができる。ＨＤＤ２４にインストールされたＯＳ３１、ユーティリティ・プログラム３２、デバイス・ドライバ３３、及びアプリケーション・プログラム３４Ａ〜Ｅは、メモリ２３に読み込まれ、ＣＰＵ２１によって実行される。アプリケーション・プログラム３４Ａ〜Ｅ、ユーティリティ・プログラム３２、及びデバイス・ドライバ３３の間のデータ又はコマンドの送受信には、ＯＳ３１が介在する。
【００２５】
トラックポイント２８は内蔵のポインティングデバイスであり、マウス２１は外付けのポインティングデバイスである。以下、ポインティングデバイスとしてマウス２１を例に説明する。  
【００２６】
図３は、上記マルチモニタシステム１の画像表示に関する機能構成を説明するための図である。図４は、マルチモニタ（拡張デスクトップ）の環境設定を行うための画面の一例を示している。図５〜図９は、第１モニタＭ１と第２モニタＭ２の表示例を説明するための図である。
【００２７】
図３において、アプリケーション・プログラム３４Ａは、マルチモニタ機能を使用してプレゼンテーションを行う場合に、発表者が効率的にプレゼンテーションを行うためのプレゼンテーション用のアプリケーションである。アプリケーション・プログラム３４Ａは、第２モニタＭ２に表示される画像と同じ画像を第１モニタＭ１に表示させるビューア（ｖｉｅｗｅｒ）機能４１と、入力操作に応じて、画像が表示されている第１モニタの画面内での処理対象領域を判定し、判定した処理対象領域内の画像を拡大し、拡大画像を第２モニタＭ２のみに表示させる拡大機能４２とを備えている。アプリケーション・プログラム３４Ａは、第２〜第３表示制御手段及び判定手段の一部として機能する。アプリケーション・プログラム３４Ｂは、文書や画像の作成・編集用のアプリケーションであり、第１表示制御手段の一部として機能する。
【００２８】
ＯＳ３１は、ＰＣ２の基本的な動作を制御しているものであり、各種資源を管理し、例えば、アプリケーション・プログラム３４Ａ〜Ｅが発生した命令を、デバイス・ドライバ３３やＢＩＯＳに伝える。ＯＳ３１は、マルチタスク機能及びマルチウィンドウ機能を有し、アプリケーション・プログラムの実行コンテキスト（あるアプリケーション・プログラムが利用しているレジスタセットやメインメモリイメージ、ファイルハンドルなど）やＧＵＩの部品などのソフトウェア資源の管理も行うようになされている。    
【００２９】
ＯＳ３１は、マルチモニタの環境設定を行い、拡張デスクトップを実現する。例えば、図４に示すマルチモニタの環境設定画面において、ユーザは、マルチモニタに使用するモニタの配置及びその解像度を設定可能となっている。ＯＳ３１は、設定された配置及び解像度でモニタの画面を仮想的に接続して、拡張デスクトップを実現する。同図に示す例では、第１モニタＭ１の画面の右辺と第２モニタＭ２の画面の左辺を仮想的に接続して、拡張デスクトップを実現する。第１モニタＭ１と第２モニタＭ２間では、マウスカーソルＣＡ、アイコン、及びＷｉｎｄｏｗ等が移動可能である。以下の説明では、図４に示すような拡張デスクトップが設定されたものとして説明する。
【００３０】
つぎに、上記図３を参照して、マルチモニタシステム１の処理手順の概略の一例を説明する。まず、アプリケーション・プログラム３４Ｂは、プレゼンテーション用の画像を、ＯＳ３１を介して第２モニタＭ２に表示させる（ステップＳ１）。アプリケーション・プログラム３４Ａ（ビューワ機能４１）は、第２モニタＭ２に表示されている画像をＯＳ３１から取得する（ステップＳ２）。アプリケーション・プログラム３４Ａ（ビューワ機能４１）は、ＯＳ３１に対して、取得した画像（第２モニタＭ２に表示されている画像）を第１モニタＭ１に表示するように指示し、これに応じて、ＯＳ３１は、当該画像を第１モニタＭ１に表示する（ステップＳ３）。
【００３１】
発表者により、マウスカーソルＣＡによって第１モニタＭ１で画像の一部が選択（指定）されると、アプリケーション・プログラム３４Ａ（拡大機能４２）は、ＯＳ３１から選択された画像を取得する（ステップＳ５）。アプリケーション・プログラム３４Ａ（拡大機能４２）は、取得した画像（選択された画像）を拡大するようにＯＳ３１に要求し、これに応じて、ＯＳ３１は選択された画像を拡大する（ステップＳ６）。アプリケーション・プログラム３４Ａ（拡大機能４２）は、ＯＳ３１に、第２モニタＭ２に拡大した画像を表示するように要求し、これに応じて、ＯＳ３１は第２モニタＭ２に、拡大した画像を表示する（ステップＳ７）。
【００３２】
なお、アプリケーション・プログラム３４Ａ（拡大機能４２）は、マウスカーソルＣＡで指定される座標（１点）を取得し、選択されたマウスカーソルの位置ｐ（ｘ、ｙ）を中心として、その周辺の画像（Ｍ×Ｎ）ドットを処理対象領域としてキャプチャーし、キャプチャーした（Ｍ×Ｎ）ドットのイメージを、Ｅ（但し、Ｅ＞１）倍に拡大し、拡大したＥ×（Ｍ×Ｎ）ドットの拡大表示ウィンドウを、第２モニタＭ１の対応する位置に表示することにしてもよい。また、アプリケーション・プログラム３４Ａ（拡大機能４２）は、マウスカーソルＣＡで指定される領域（例えば、矩形の領域）を処理対象領域として、その画像（Ｍ×Ｎ）ドットをキャプチャーしてもよい。すなわち、拡大処理される処理対象領域の指定方法は如何なる方法でもよく、マウスカーソルＣＡの移動に伴って処理対象領域を移動させてもよい。
【００３３】
つぎに、図５〜図９を参照して、第１モニタＭ１と第２モニタＭ２の具体的な表示例を説明する。図５に示すように、第１モニタＭ１には、アプリケーション・プログラム３４Ａ、３４Ｃ、３４Ｄ、３４Ｅのアイコンが表示されており、第２モニタＭ２には、アプリケーション・プログラム３４Ｂのアイコンが表示されているものとする。
【００３４】
第２モニタＭ１に表示されるアプリケーション・プログラム３４ＢのアイコンをマウスカーソルＣＡで選択（例えば、マウス２１のダブルクリック）してアプリケーション・プログラム３４Ｂを起動させ、図６に示すように、第２モニタＭ２にプレゼンテーション用の画像を表示する（上記図３のステップＳ１）。そして、第１モニタＭ１に表示されるアプリケーション・プログラム３４ＡのアイコンをマウスカーソルＣＡで選択して、アプリケーション１２１を起動させると、図７に示すように、第２モニタＭ２に表示されている画像が第１モニタＭ１に表示される（上記図３のステップＳ２，Ｓ３）。
【００３５】
次に、図８に示すように、第１モニタＭ１に表示されている画像のうち、発表者が聴講者に拡大して示したい部分をマウスカーソルカーソルＣＡで選択する（上記図３のステップＳ４）。選択された画像は拡大され、図９に示すように、その拡大画像のウィンドウＷ１が第２モニタＭ２にのみその対応する位置に表示される（上記図３のステップＳ５〜Ｓ７）。
【００３６】
このように、発表者が第２モニタＭ２に表示されている画像の一部を拡大して聴講者に見せたい場合は、第１モニタＭ１に表示されている画像の対応する部分をマウス２１により選択し、選択された画像の拡大画像を第２モニタＭ２だけに表示することとしたので、発表者は、第１モニタＭ１に表示される画像の全体を見てプレゼンテーションを行うことができ、効率的にプレゼンテーションを行うことができる。
【００３７】
なお、上記実施の形態では、画像処理として、選択した画像の拡大処理を行うこととしたが、本発明の画像処理はこれに限られるものではなく、画像の縮小処理、回転処理、コントラスト調整、明るさ調整、色調調整等を行うことにしてもよく、また、これらを組み合わせて実施することにしてもよい。例えば、画像が大きすぎて縮小して表示したい場合は縮小処理を行い、また、画像が反転して表示されて見にくい場合は回転処理を行うことにしてもよい。
【００３８】
なお、ここでは、プレゼンテーションを行う場合について説明したが、用途はプレゼンテーションに限られるものではなく、例えば、医療用途の場合には、医者が患者へ病状を説明する場面において、例えば、モニタＭ２に表示される病巣が小さい場合に、病巣近傍をモニタＭ２に大きく表示することにしてもよい。
【００３９】
以上説明したように、本実施の形態によれば、第１モニタＭ１及び第２モニタＭ２に接続されたノートＰＣ２であって、前記第２モニタに画像を表示する工程と、前記第２モニタに表示される画像と同じ画像を前記第１モニタに表示する工程と、入力操作に応じて、前記画像が表示されている前記第１モニタの画面内での処理対象領域を判定する工程と、前記判定された処理対象領域内の画像を画像処理し、画像処理後の画像を前記第２モニタのみに表示する工程とを含んでいるので、情報提供者が複数のモニタを使用して被情報提供者に情報を提供する場合に、情報提供者の使い勝手を良くすることが可能になる。
【００４０】
また、本実施の形態によれば、第２モニタＭ２はプロジェクタ装置であることとしたので、プロジェクタ装置を使用して情報提供を行う場合に有用である。
【００４１】
また、画像処理として拡大処理を行うこととしたので、被情報提供者に画像を拡大して表示することが可能となる。
【００４２】
（実施の形態２）
実施の形態２では、本実施の形態に係るマルチモニタシステムを医療用途に適用した例を説明する。ここでは、一例として、医師が患者にレントゲン画像を見せる場合を説明する。実施の形態２において、実施の形態１と同様な点については説明を省略し、異なる点についてのみ説明する。
【００４３】
図１０は、実施の形態２に係るマルチモニタシステムの外観構成例を示す図である。図１０に示すように、第２モニタＭ２は、大型の液晶ディスプレイであるモニタ装置で構成されている。ここでは、医者がＰＣ２を操作し、患者が第２モニタＭ２を見る場合を想定する。
【００４４】
図１１は、実施の形態２に係るマルチモニタシステム１の画像表示に関する機能構成を説明するための図である。図１２は、第１モニタＭ１と第２モニタＭ２の表示例を説明するための図である。
【００４５】
図１１において、アプリケーション・プログラム３４Ａは、図３の拡大機能４３の替わりに、コントラスト調整機能４３を備えている。コントラスト調整機能４３は、入力操作に応じて、画像が表示されている第１モニタの画面内での処理対象領域を判定し、判定した処理対象領域内の画像のコントラストを強調し、コントラスト強調画像を第２モニタＭ２のみに表示させる機能である。
【００４６】
つぎに、上記図１１を参照して、マルチモニタシステム１の処理手順の概略の一例を説明する。まず、アプリケーション・プログラム３４Ｂは、レントゲン画像を、ＯＳ３１を介して第２モニタＭ２に表示させる（ステップＳ１１）。アプリケーション・プログラム３４Ａ（ビューワ機能４１）は、第２モニタＭ２に表示されている画像をＯＳ３１から取得する（ステップＳ１２）。アプリケーション・プログラム３４Ａ（ビューワ機能４１）は、ＯＳ３１に対して、取得した画像（第２モニタＭ２に表示されている画像）を第１モニタＭ１に表示するように指示し、これに応じて、ＯＳ３１は、当該画像を第１モニタＭ１に表示する（ステップＳ１３）。
【００４７】
医師により、マウスカーソルＣＡによって第１モニタＭ１で画像の一部が選択（指定）されると、アプリケーション・プログラム３４Ａ（コントラスト調整機能４３）は、ＯＳ３１から選択された画像を取得する（ステップＳ１５）。アプリケーション・プログラム３４Ａ（コントラスト調整機能４３）は、取得した画像（選択された画像）のコントラストを強調するようにＯＳ３１に要求し、これに応じて、ＯＳ３１は選択された画像のコントラストを強調する（ステップＳ１６）。アプリケーション・プログラム３４Ａ（コントラスト調整機能４３）は、ＯＳ３１に、第２モニタＭ２にコントラスト強調した画像を表示するように要求し、これに応じて、ＯＳ３１は第２モニタＭ２に、コントラスト強調した画像を表示する（ステップＳ１７）。
【００４８】
つぎに、図１２を参照して、第１モニタＭ１と第２モニタＭ２の具体的な表示例を説明する。第１モニタＭ１と第２モニタＭ２に同じレントゲン画像が表示されている状態で、第１モニタＭ１に表示されているレントゲン画像のうち、医師が患者にコントラストを強調して示したい部分をマウスカーソルカーソルＣＡで選択すると（上記図１１のステップＳ１４）、選択された画像のコントラストが強調され、そのコントラスト強調画像のウィンドウＷ２が第２モニタＭ２にのみその対応する位置に表示される（上記図１１のステップＳ１５〜Ｓ１７）。例えば、医者が患者へ病状を説明する場面において、第２モニタＭ２に表示されている病巣がはっきりしない場合に、病巣近傍をコントラスト強調して第２モニタＭ２に表示することにしてもよい。このように、医療の場に於いては効果的なインフォームドコンセントを行うことが可能となる。
【００４９】
なお、上記実施の形態では、情報処理装置として、ノート型ＰＣを例示して説明したが、本発明に係る情報処理装置は、ノート型ＰＣに限られるものではなく、デスクトップＰＣ、ＰＤＡ、携帯電話、デジタルカメラ等の各種の情報処理装置に適用可能である。また、第１モニタはノートＰＣのディスプレイに限られるものではなく、外付けのディスプレイを使用することにしてもよい。また、第２モニタとしてプロジェクタ装置の替わりにディスプレイを使用することにしてもよい。また、マウスについて説明したが、位置入力が可能なポインティングデバイスはマウスに限られるものではなく、トラックボール、タブレット、タッチパッド等を使用することにしてもよい。    
【産業上の利用可能性】
【００５０】
本発明に係る情報処理装置、その画像表示方法、及びコンピュータが実行可能なプログラムはプレゼンテーションを行う場合に有用である。    
【符号の説明】
【００５１】
１  マルチモニタシステム
２  パーソナルコンピュータ（ＰＣ）
３  プロジェクタ
４  ホワイトボード
５  ビデオケーブル
２１  マウス
２２  ＣＰＵ
２３  メモリ
２４  ＨＤＤ
２５  ＣＤ−ＲＯＭドライブ
２６  入出力インターフェース
２７  キーボード
２８  トラックポイント
２９  ＣＤ−ＲＯＭ
３１  ＯＳ
３２  ユーティリティ・プログラム
３３  デバイス・ドライバ
３４Ａ〜Ｅ  アプリケーション・プログラム
４１  ビューア機能
４２  拡大機能
４３  コントラスト強調機能
Ｍ１  第１モニタ
Ｍ２  第２モニタ
【図１】
0005700556.tif 000002
【図２】
0005700556.tif 000003
【図３】
0005700556.tif 000004
【図４】
0005700556.tif 000005
【図５】
0005700556.tif 000006
【図６】
0005700556.tif 000007
【図７】
0005700556.tif 000008
【図８】
0005700556.tif 000009
【図９】
0005700556.tif 000010
【図１０】
0005700556.tif 000011
【図１１】
0005700556.tif 000012
【図１２】
0005700556.tif 000013